(57)【特許請求の範囲】
【請求項１】
ユーザからの指示に応じて、撮像装置の動作モードを撮影モードと再生モードとを含む複数の動作モードの何れかに切り替える動作モード切替手段と、
前記再生モードにおいて再生画像を表示するように制御する表示制御手段と、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御手段とを有し、
前記表示制御手段は、前記再生モードで再生画像を表示する際に、再生画像の属性情報に基づいた撮影設定が可能な場合、前記特定の指示を行うための表示アイテムを表示するように制御することを特徴とする撮像装置。
【請求項２】
前記制御手段は、前記再生モードにおいて前記特定の指示を受け付けると、更なるユーザ操作がなくとも、撮影モードに切り替え、設定を反映したライブビュー画像を表示するように制御することを特徴とする請求項１に記載の撮像装置。
【請求項３】
前記表示制御手段は、再生画像が特定の撮影モードで撮影された画像である場合に前記表示アイテムを表示するように制御することを特徴とする請求項１に記載の撮像装置。
【請求項４】
前記表示制御手段は、前記再生モードにおいて前記特定の指示を受け付ける前に、前記特定の指示を受け付けると撮影モードに切り替わることを示すガイダンスを表示するように制御することを特徴とする請求項１乃至３の何れか１項に記載の撮像装置。
【請求項５】
ユーザからの指示に応じて、撮像装置の動作モードを撮影モードと再生モードとを含む複数の動作モードの何れかに切り替える動作モード切替手段と、
前記再生モードにおいて再生画像を表示するように制御する表示制御手段と、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御手段とを有し、
前記表示制御手段は、前記再生モードにおいて前記特定の指示を受け付ける前に、前記特定の指示を受け付けると撮影モードに切り替わることを示すガイダンスを表示するように制御することを特徴とする撮像装置。
【請求項６】
複数の撮影モードの何れかに切り替えて設定する撮影モード切替手段を更に有し、
前記制御手段は、前記特定の指示を受け付けた際に、撮影モードの設定が特定の撮影モードであった場合には、前記少なくとも一部の設定を前記撮像装置に設定するとともに、再生モードから前記特定の撮影モードに切り替え、
前記特定の指示を受け付けた際に、撮影モードの設定が前記特定の撮影モードでなかった場合には、再生モードから撮影モードに遷移しないように制御することを特徴とする請求項１乃至５の何れか１項に記載の撮像装置。
【請求項７】
ユーザからの指示に応じて、撮像装置の動作モードを撮影モードと再生モードとを含む複数の動作モードの何れかに切り替える動作モード切替手段と、
前記再生モードにおいて再生画像を表示するように制御する表示制御手段と、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御手段と、
複数の撮影モードの何れかに切り替えて設定する撮影モード切替手段とを有し、
前記制御手段は、前記特定の指示を受け付けた際に、撮影モードの設定が特定の撮影モードであった場合には、前記少なくとも一部の設定を前記撮像装置に設定するとともに、再生モードから前記特定の撮影モードに切り替え、
前記特定の指示を受け付けた際に、撮影モードの設定が前記特定の撮影モードでなかった場合には、再生モードから撮影モードに遷移しないように制御することを特徴とする撮像装置。
【請求項８】
前記制御手段は、前記再生モードで再生画像を表示しており、かつ、撮影モードの設定が前記特定の撮影モードでなかった場合に、前記特定の指示を受け付けると、その後のユーザからの操作に応じて前記特定の撮影モードに切り替えられた場合に、前記少なくとも一部の設定を前記撮像装置に設定するとともに、設定を反映したライブビュー画像を表示するように制御することを特徴とする請求項６または７に記載の撮像装置。
【請求項９】
前記表示制御手段は、前記再生モードで再生画像を表示しており、かつ、撮影モードの設定が前記特定の撮影モードでなかった場合に、前記特定の指示の後に前記特定の撮影モードに切り替えることで、前記少なくとも一部の設定を前記撮像装置に設定できることを示すガイダンスを表示するように制御することを特徴とする請求項８に記載の撮像装置。
【請求項１０】
前記制御手段によって設定される前記再生画像を撮影した際の撮影設定は、背景のぼかし量、明るさ、色合い、コントラスト、鮮やかさ、モノクロ設定、絞り、露出補正、ホワイトバランス、画像処理の設定の少なくとも一つであることを特徴とする請求項１乃至９の何れか１項に記載の撮像装置。
【請求項１１】
前記特定の撮影モードは、絞り、露出補正、ホワイトバランスの設定をそれぞれ、ぼかし、明るさ、色合いに関する設定項目としてユーザに設定させる撮影モードであることを特徴とする請求項３、６乃至９の何れか１項に記載の撮像装置。
【請求項１２】
前記表示制御手段は、前記再生画像とともに、前記少なくとも一部の設定を表示するように制御することを特徴とする請求項１乃至１１の何れか１項に記載の撮像装置。
【請求項１３】
前記表示制御手段は、前記制御手段によって前記少なくとも一部の設定を前記撮像装置に設定する際に、当該設定の前に設定されていた撮影設定が上書きされることを示すガイダンスを表示するように制御することを特徴とする請求項１乃至１２の何れか１項に記載の撮像装置。
【請求項１４】
前記表示制御手段は、前記少なくとも一部の設定を前記撮像装置に設定するとともに、再生モードから撮影モードに切り替えられた場合に、現在の設定が、再生画像に基づくものであることを示すガイダンスを表示するように制御することを特徴とする請求項１乃至１３の何れか１項に記載の撮像装置。
【請求項１５】
前記表示制御手段は、前記少なくとも一部の設定を前記撮像装置に設定するとともに、再生モードから撮影モードに切り替えられた場合に、前記ライブビュー画像とともに前記再生画像を表示することを特徴とする請求項１乃至１４の何れか１項に記載の撮像装置。
【請求項１６】
ユーザからの指示に応じて、撮像装置の動作モードを撮影モードと再生モードとを含む複数の動作モードの何れかに切り替える動作モード切替ステップと、
前記再生モードにおいて再生画像を表示するように制御する表示制御ステップと、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御ステップとを有し、
前記表示制御ステップでは、前記再生モードで再生画像を表示する際に、再生画像の属性情報に基づいた撮影設定が可能な場合、前記特定の指示を行うための表示アイテムを表示するように制御することを特徴とする撮像装置の制御方法。
【請求項１７】
ユーザからの指示に応じて、撮像装置の動作モードを撮影モードと再生モードとを含む複数の動作モードの何れかに切り替える動作モード切替ステップと、
前記再生モードにおいて再生画像を表示するように制御する表示制御ステップと、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御ステップとを有し、
前記表示制御ステップでは、前記再生モードにおいて前記特定の指示を受け付ける前に、前記特定の指示を受け付けると撮影モードに切り替わることを示すガイダンスを表示するように制御することを特徴とする撮像装置の制御方法。
【請求項１８】
ユーザからの指示に応じて、撮像装置の動作モードを撮影モードと再生モードとを含む複数の動作モードの何れかに切り替える動作モード切替ステップと、
前記再生モードにおいて再生画像を表示するように制御する表示制御ステップと、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御ステップと、
複数の撮影モードの何れかに切り替えて設定する撮影モード切替ステップとを有し、
前記制御ステップでは、前記特定の指示を受け付けた際に、撮影モードの設定が特定の撮影モードであった場合には、前記少なくとも一部の設定を前記撮像装置に設定するとともに、再生モードから前記特定の撮影モードに切り替え、
前記特定の指示を受け付けた際に、撮影モードの設定が前記特定の撮影モードでなかった場合には、再生モードから撮影モードに遷移しないように制御することを特徴とする撮像装置の制御方法。
【請求項１９】
コンピュータを、請求項１乃至１５の何れか１項に記載された撮像装置の各手段として機能させるためのプログラム。
【請求項２０】
コンピュータを、請求項１乃至１５の何れか１項に記載された撮像装置の各手段として機能させるためのプログラムを格納したコンピュータが読み取り可能な記憶媒体。
【発明の詳細な説明】
【技術分野】
【０００１】
本発明は、画像の撮影条件を設定する技術に関する。
【背景技術】
【０００２】
近年、撮像装置の進化に伴い撮影機能も増加している。シーンに応じて複数のパラメータを組み合わせ様々な絵作りを楽しむことができるようになった反面、撮影パラメータの設定は複雑になっている。お気に入りの撮影パラメータを簡便に設定できる機能が望まれている。
【０００３】
特許文献１には、選択された再生画像の画像データと対応させて記憶された撮影条件及び画像処理条件を読み出し、これらの各情報に基いてデジタルカメラの撮影条件及び画像処理の設定を行う技術が記載されている。
【先行技術文献】
【特許文献】
【０００４】
【特許文献１】特許第４４４５６５７号公報
【発明の概要】
【発明が解決しようとする課題】
【０００５】
しかしながら、上記特許文献１によれば、再生画像の画像処理条件を撮影条件として設定することはできるものの、再生表示中の画像の撮影設定を反映し、即座に撮影モードに移行することはできない。
【０００６】
本発明は、上記課題に鑑みてなされ、再生表示中の画像の撮影設定を反映し、即座に撮影モードに移行できる撮像装置を実現することを目的とする。
【課題を解決するための手段】
【０００７】
上記目的を達成するために、本発明の撮像装置は、ユーザからの指示に応じて、撮像装置の動作モードを撮影モードと再生モードとを含む複数の動作モードの何れかに切り替える動作モード切替手段と、前記再生モードにおいて再生画像を表示するように制御する表示制御手段と、前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御手段とを有し、前記表示制御手段は、前記再生モードで再生画像を表示する際に、再生画像の属性情報に基づいた撮影設定が可能な場合、前記特定の指示を行うための表示アイテムを表示するように制御する。
【発明の効果】
【０００８】
本発明によれば、再生表示中の画像の撮影設定を反映し、即座に撮影モードに移行することができる。
【図面の簡単な説明】
【０００９】
【図１】本実施形態の撮像装置の背面から見た外観図。
【図２】本実施形態の撮像装置の構成を示すブロック図。
【図３】本実施形態の撮像装置によるモード設定処理を示すフローチャート。
【図４】図３のクリエイティブアシストモードの処理を示すフローチャート。
【図５】図４のクリエイティブアシストモードの処理における表示画面を例示する図。
【図６】図４の設定登録処理を示すフローチャート。
【図７】図６の設定登録処理における表示画面を例示する図。
【図８】図３の再生モード処理を示すフローチャート。
【図９】図８の再生モード処理における表示画面を例示する図。
【図１０】図８の再生モード処理における再生クイック設定処理を示すフローチャート。
【図１１】図１０の再生クイック設定処理における表示画面を例示する図。
【発明を実施するための形態】
【００１０】
以下に、本発明を実施するための形態について添付図面を参照して詳細に説明する。
【００１１】
＜装置構成＞
図１及び図２を参照して、本発明を適用した実施形態の撮像装置（画像処理装置・表示制御装置・電子機器）の機能及び外観について説明する。撮像装置・画像処理装置・表示制御装置・電子機器の例として、本実施形態では、デジタルカメラを例に挙げる。
【００１２】
本実施形態のデジタルカメラ１００の外観を示す図１において、表示部１０１は画像や各種情報を表示する液晶表示パネル（ＬＣＤ）等からなる。シャッターボタン１０２は撮影指示を行うための操作部である。モード切替ボタン１０３は各種モードを切り替えるための操作部である。コネクタ１０７は接続ケーブル１０８とデジタルカメラ１００とを接続するインターフェースである。操作部１０４はユーザからの各種操作を受け付ける各種スイッチ、ボタン、タッチパネル、電子ダイヤル等の操作部材からなる操作部である。電子ダイヤルはカメラの正面側に設けられる回転操作可能な操作部材である。コントローラホイール１０６は操作部１０４に含まれる回転操作可能な操作部材である。電源スイッチ１０５は電源のオン、オフを切り替える操作部である。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルカメラ１００との通信が可能となる。蓋１１１は記録媒体スロット１１０の蓋である。
【００１３】
本実施形態のデジタルカメラ１００の内部構成を示す図２において、撮影レンズ２０３はズームレンズ、フォーカスレンズを含むレンズ群である。シャッター２０４は絞り機能を備える。撮像部２０５は被写体の光学像を電気信号に変換するＣＣＤやＣＭＯＳ等で構成される撮像素子である。Ａ／Ｄ変換器２０６は、アナログ信号をデジタル信号に変換する。Ａ／Ｄ変換器２０６は、撮像部２０５から出力されるアナログ信号をデジタル信号に変換するために用いられる。バリア２０２は、デジタルカメラ１００の、撮影レンズ２０３を含む撮像系を覆うことにより、撮影レンズ２０３、シャッター２０４、撮像部２０５を含む撮像系の汚れや破損を防止する。
【００１４】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７ではさらに、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００１６】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、電子ビューファインダとして機能し、スルー画像の表示を行える。なお、スルー画像をライブビュー画像とも称する。
【００１７】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００１８】
システム制御部２０１は、デジタルカメラ１００全体を制御する。前述した不揮発性メモリ２１３に記録されたプログラムを実行することで、後述する本実施形態の各処理を実現する。システムメモリ２１２は、システム制御部２０１の動作用のメモリであり、ＲＡＭが用いられる。システムメモリ２１２には、システム制御部２０１の動作用の定数、変数、不揮発性メモリ２１３から読み込んだプログラム等を展開する。また、システム制御部２０１はメモリ２１０、Ｄ／Ａ変換器２０８、表示部１０１等を制御することにより表示制御も行う。
【００１９】
システムタイマー２１１は各種制御に用いる時間や、内蔵された時計の時間を計測する計時部である。
【００２０】
モード切替ボタン１０３、第１シャッタースイッチ１０２ａ、第２シャッタースイッチ１０２ｂ、操作部１０４はシステム制御部２０１に各種の動作指示を入力するための操作手段である。
【００２１】
モード切替ボタン１０３は、システム制御部２０１の動作モードを複数の静止画撮影モードのいずれか、動画記録モード、再生モード等のいずれかに切り替える。静止画記録モードに含まれるモードとして、オートモード、オートシーン判別モード、マニュアルモード、シーン別撮影モード、プログラムＡＥモード、カスタムモード、クリエイティブアシストモード等がある。モード切替ボタン１０３で、静止画撮影モードに含まれるこれらのモードのいずれかに直接切り替えられる。同様に、動画記録モードにも複数のモードが含まれていても良い。
【００２２】
第１シャッタースイッチ１０２ａは、デジタルカメラ１００に設けられたシャッターボタン１０２の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２３】
第２シャッタースイッチ１０２ｂは、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２０５からの信号読み出しから記録媒体１０９に画像データを書き込むまでの一連の撮影処理の動作を開始する。
【００２４】
操作部１０４の各操作部材は、表示部１０１に表示される種々の機能アイコンを選択操作すること等により、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、ＩＮＦＯボタン、消去ボタン等がある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。また、操作部１０４には、再生ボタンが含まれる。再生ボタンは、撮影モードと再生モードとを切り替えるボタンであり、前述のモード切り替えボタン１０３とは別途に備えられている。電源がオフの際に再生ボタンが押下されると再生モードで起動して再生画像を表示する。撮影モードの際に再生ボタンが押下されると、再生モードに遷移にして再生画像を表示する。再生モードの際に再生ボタンが押下されると、複数の撮影モードのうち、現在設定されている撮影モードに遷移し、ライブビュー画像が表示される。
【００２５】
なお、操作部１０４の１つとして、表示部１０１に対する接触を検知可能なタッチパネルを有する。タッチパネルと表示部１０１とは一体的に構成することができる。例えば、タッチパネルを光の透過率が表示部１０１の表示を妨げないように構成し、表示部１０１の表示面の上層に取り付ける。そして、タッチパネルにおける入力座標と、表示部１０１上の表示座標とを対応付ける。これにより、あたかもユーザが表示部１０１上に表示された画面を直接的に操作可能であるかのようなＧＵＩを構成することができる。
【００２６】
コントローラホイール１０６は、操作部１０４に含まれる回転操作可能な操作部材であり、方向ボタンと共に選択項目を指示する際等に使用される。コントローラホイール１０６を回転操作すると、操作量に応じて電気的なパルス信号が発生し、このパルス信号に基づいてシステム制御部２０１はデジタルカメラ１００の各部を制御する。このパルス信号によって、コントローラホイール１０６が回転操作された角度や、何回転したか等を判定することができる。なお、コントローラホイール１０６は回転操作が検出できる操作部材であればどのようなものでも良い。例えば、ユーザの回転操作に応じてコントローラホイール１０６自体が回転してパルス信号を発生するダイヤル操作部材であっても良い。また、タッチセンサよりなる操作部材で、コントローラホイール１０６自体は回転せず、コントローラホイール１０６上でのユーザの指の回転動作等を検出するものであっても良い（いわゆる、タッチホイール）。
【００２７】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００２８】
電源部２１５は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ２１６は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００２９】
通信部２１７は、無線アンテナや有線ケーブルによって外部機器と通信可能に接続し、映像や音声の送受信を行う。通信部２１７は無線ＬＡＮ（Ｌｏｃａｌ  Ａｒｅａ  Ｎｅｔｗｏｒｋ）やインターネットにも接続可能である。通信部２１７は撮像部２０５で撮像された画像データ（スルー画像を含む）や、記録媒体１０９に記録されている画像ファイルを外部機器に送信でき、また、外部機器から画像データやその他の各種情報を受信できる。
【００３０】
姿勢検知部２１８は重力方向に対するデジタルカメラ１００の姿勢を検知する。姿勢検知部２１８で検知された姿勢に応じて、撮像部２０５で撮像された画像がデジタルカメラ１００を横に構えて撮影されたものか、縦に構えて撮影されたものかを判別可能である。システム制御部２０１は、姿勢検知部２１８で検知された姿勢に関する情報を撮像部２０５で撮像された画像データに付加したり、画像データを回転して記録することが可能である。姿勢検知部としては、加速度センサやジャイロセンサ等を用いることができる。
【００３１】
なお、ハードウェアの構成は図２に示すものに限定されず、例えば１つのハードウェアが表示制御、通信制御、記録制御、画像処理制御等を行い、デジタルカメラ１００の各手段として機能しても良い。また、複数のハードウェアが協働して１つの手段として機能しても良い。
【００３２】
デジタルカメラ１００は、少なくとも画像を再生するための再生モードと、撮影を行うための撮影モードとで、切り替えて使用することができる。撮影モードとしては、オートモードやマニュアルモード、複数のシーン別撮影モードを備えている。オートモードは、カメラの各種パラメータが、計測された露出値に基づいてデジタルカメラ１００に組み込まれたプログラムにより自動的に決定されるモードである。マニュアルモードは、カメラの各種パラメータをユーザが自由に変更可能なモードである。シーン別撮影モードは、撮影シーン別にその撮影シーンに適したシャッター速度や絞り値、ストロボ発光状態、感度設定、ホワイトバランス（ＷＢ）設定、ピクチャースタイル機能等を組み合わせることによって実現されるモードである。ピクチャースタイル機能は、ポートレート、風景、モノクロ等選択されたシーンごとにシャープネス、コントラスト、色相、彩度を最適なものに調整することができる。シーン別撮影モードには、ポートレートモード、スポーツモード、風景モード、スノーモード、ビーチモードなどがある。
【００３３】
また、デジタルカメラ１００は、上述のモードの他にも、以下に記す（１）〜（４）の撮影モードを備えている。
（１）プログラムＡＥモード：シャッター速度と絞り値が自動設定され、その他の機能が自由に選択できるモード
（２）シャッター速度優先ＡＥモード（シャッター速度優先モード、Ｔｖ優先モード）：シャッター速度を変えることで、被写体の動きを止めたり、流動感を表現することができるモード
（３）絞り優先ＡＥモード（絞り優先ＡＥモード、Ａｖ優先モード）：絞り数値を変えることで、背景ぼかして被写体を強調したり、手前から奥までピント合わせることができるモード
（４）クリエイティブアシストモード：簡単に思い通りの効果をつけて撮影できるモード。設定の登録や読み込みもできるモード
マニュアルモード、プログラムＡＥモード、シャッター速度優先ＡＥモード、絞り優先ＡＥモードは、カメラの設定をユーザが自由に変更できることから「応用撮影モード」と呼ぶ。オートモード、シーン別撮影モード、クリエイティブアシストのように簡単な設定で撮影可能なモードを「簡単撮影モード」と呼ぶ。
【００３４】
撮影者は、撮影モード選択メニューからデジタルカメラ１００を所望の撮影モードに設定して撮影を行うことができる。
【００３５】
＜モード設定処理＞
次に、図３を参照して、本実施形態のデジタルカメラ１００によるモード設定処理について説明する。
【００３６】
なお、図３の処理は、電源スイッチ１０５によって電源がオンに切り替えられると開始され、不揮発性メモリ２１３に記録されたプログラムを、システムメモリ２１２に読み出してシステム制御部２０１が実行することにより実現される。
【００３７】
Ｓ３０１では、システム制御部２０１は、フラグや制御変数等を初期化し、Ｓ３０２では、記録媒体１０９に記録されているファイルに関する管理処理を開始する。
【００３８】
Ｓ３０３、Ｓ３０４、Ｓ３０７では、システム制御部２０１は、現在の動作モードを判定する。すなわち、Ｓ３０３では、システム制御部２０１は、静止画撮影モードに設定されているか判定し、設定されていた場合は、モード切替ボタン１０３の位置より、複数の静止画撮影モードの１つであるクリエイティブアシストモードであるか判定する（Ｓ３０４）。判定の結果、クリエイティブアシストモードであった場合はＳ３０５へ進み、システム制御部２０１は、クリエイティブアシストモードの処理を実行する。クリエイティブアシストモードの詳細は図４で後述する。一方、クリエイティブアシストモード以外であった場合はＳ３０６へ進み、システム制御部２０１は、その他の撮影モードの処理を実行する。その他の撮影モードは、例えば、マニュアルモード、プログラムＡＥモード、シャッター速度優先ＡＥモード、絞り優先ＡＥモード等の応用撮影モードである。
【００３９】
Ｓ３０３で静止画撮影モード以外であった場合はＳ３０７へ進み、システム制御部２０１は、再生モードに設定されているか判定する。判定の結果、再生モードであった場合はＳ３０８へ進み、システム制御部２０１は、再生モードの処理を実行し、再生モード以外のであった場合はＳ３０９へ進み、その他のモード処理を実行する。再生モード処理の詳細は図８で後述する。その他のモードは、例えば、記録媒体１０９に格納されたファイルの送信を行う送信モード処理、外部機器からファイルを受信して記録媒体１０９に格納する受信モード処理、動画撮影モード処理が含まれる。
【００４０】
Ｓ３０５、Ｓ３０６、Ｓ３０８、Ｓ３０９で設定されたモードに対応した処理を実行した後、Ｓ３１０では、システム制御部２０１は、電源スイッチ１０５の設定位置を判定する。判定の結果、電源がオンに設定されていた場合は、Ｓ３０３に戻り、電源がオフに設定されていた場合は、システム制御部２０１は終了処理を実行する（Ｓ３１１）。終了処理には、例えば以下の処理が含まれる。すなわち、表示部１０１の表示を終了状態に変更し、レンズバリア１０２を閉じて撮像部２０５を保護する。また、フラグや制御変数等を含むパラメータや設定値、設定モードを不揮発性メモリ２１３に記録し、電源供給が不要な部分への電源を遮断する。
【００４１】
Ｓ３１１での終了処理が完了すると、本処理を終了し、電源オフ状態へ移行する。
【００４２】
＜クリエイティブアシストモードの処理＞
次に、図４および図５を参照して、図３のＳ３０５におけるクリエイティブアシストモードの処理について説明する。
【００４３】
まず、図５を参照して、クリエイティブアシストモードにおける各種表示画面について説明する。
【００４４】
図５（ａ）は、クリエイティブアシストモードにおける初期画面を示している。表示部１０１には、スルー画像５００に重畳して、ＯＳＤ（表示アイテム）としての各種の撮影条件（撮影設定）を示す情報がユーザが確認可能なように表示される。撮影設定が可能な情報として、クリエイティブアシストモードに特有の設定項目の設定値を示す以下のアイコンが表示される。背景のぼかし量アイコン５０２、明るさアイコン５０３、コントラストアイコン５０４、鮮やかさアイコン５０５、色合いアイコン５０６、モノクロ設定アイコン５０７。これらのアイコン５０２〜５０７の傍ら表示されている数値が、アイコンが示している設定項目の現在の設定値である。また、アイコン５０２〜５０７のいずれか１つの傍らに、電子ダイヤル有効表示５０１が表示されている。電子ダイヤル有効表示５０１は、電子ダイヤルを操作することで設定値を変更可能な設定項目を示している。図示の例では、電子ダイヤル有効表示５０１が背景ぼかし量アイコン５０２の横に表示されているため、この時点で電子ダイヤルを操作することで、背景ぼかし量の設定値を変更できることをユーザが確認できる。撮影情報５０８は、現在のデジタルカメラ１００の設定や状態を示すアイコンであり、左から順に、電池残量、記録画質（圧縮率及び画像サイズ）、残り撮影可能枚数を表示している。図５（ａ）の状態で、操作部１０４に含まれるＳＥＴボタンが押下されると、図５（ｂ）〜図５（ｈ）に示すような、クリエイティブアシストモードにおけるクイック設定画面が表示される。
【００４５】
図５（ｂ）は、クリエイティブアシストモードでのクイック設定画面において背景ぼかし量の設定項目が選択されている場合を示している。クイック設定画面では、スルー画像に重畳して、画面中央に「背景」の文字、画面両側に右側項目列５１０および左側項目列５１１、画面下部に選択されている設定項目に関する設定を行うための背景ぼかし量設定領域５２２が表示される。右側項目列５１０には、図５（ａ）と同様に背景ぼかし量アイコン５１２、明るさアイコン５１３、コントラストアイコン５１４、鮮やかさアイコン５１５、色合いアイコン５１６、モノクロ設定アイコン５１７が表示される。左側項目列５１１には、設定登録アイコン５１８、設定読み込みアイコン５１９が表示される。アイコン５１２〜５１９のいずれか１つにカーソル５０９が表示される。ユーザは、操作部１０４に含まれる上下ボタンを操作することによってカーソルを移動させ、アイコン５１２〜５１９のいずれかを選択することができる。なお、右側項目列５１０と左側項目列５１１に表示される項目は同階層の項目である。すなわち、右側項目列５１０の最下部に配置されたモノクロ設定アイコン５１７にカーソル５０９がある状態で下ボタンが押下されると左側項目列５１１の最上部に配置された設定登録アイコン５１８にカーソル５０９が移動する。反対に、左側項目列５１１の最上部に配置された設定登録アイコン５１８にカーソル５０９がある状態で上ボタンが押下されると、右側項目列５１０の最下部に配置されたモノクロ設定アイコン５１７にカーソル５０９が移動する。図５（ｂ）では、背景ぼかし量アイコン５１２が選択されているため、画面下部には、背景ぼかし量を設定するための背景ぼかし量設定領域５２２が表示されている。背景ぼかし量は、ＯＦＦ、０〜５のいずれかに設定値に設定することができる。
【００４６】
図５（ｃ）は、クリエイティブアシストモードでのクイック設定画面において明るさアイコン５１３が選択されている場合を示している。図５（ｃ）の画面では、スルー画像に重畳して、画面中央に「明るさ」の文字、画面下部には、明るさの設定を行うための明るさ設定領域５２３が表示される。
【００４７】
図５（ｄ）は、クリエイティブアシストモードでのクイック設定画面においてコントラストアイコン５１４が選択されている場合を示している。図５（ｄ）の画面では、スルー画像に重畳して、画面中央に「コントラスト」の文字、画面下部には、コントラストの設定を行うためのコントラスト設定領域５２４が表示される。
【００４８】
図５（ｅ）は、クリエイティブアシストモードでのクイック設定画面において鮮やかさアイコン５１５が選択されている場合を示している。図５（ｅ）の画面では、スルー画像に重畳して、画面中央に「鮮やかさ」の文字、画面下部には、鮮やかさの設定を行うための鮮やかさ設定領域５２５が表示される。
【００４９】
図５（ｆ）は、クリエイティブアシストモードでのクイック設定画面において色合いアイコン５１６が選択されている場合を示している。図５（ｆ）の画面では、スルー画像に重畳して、画面中央に「色合い」の文字、画面下部には、色合いの設定を行うための色合い設定領域５２６が表示される。
【００５０】
図５（ｇ）は、クリエイティブアシストモードでのクイック設定画面においてモノクロ設定アイコン５１７が選択されている場合を示している。図５（ｇ）の画面では、スルー画像に重畳して、画面中央に「モノクロ」の文字、画面下部には、モノクロの設定を行うためのモノクロ設定領域５２７が表示される。
【００５１】
図５（ｈ）は、クリエイティブアシストモードでのクイック設定画面において設定読み込みアイコン５１９が選択されている場合を示している。図５（ｈ）の画面では、スルー画像に重畳して、画面中央に「設定の読み込み」およびその処理内容を説明するガイダンス、画面下部には、設定読み込みを行うための読み込み選択領域５２９が表示される。読み込み選択領域５２９には、登録済みの設定パターンが選択肢として表示され、ユーザは選択枠５２８を移動させて、これらの選択肢のいずれかを選択し、設定情報を読み込むことができる。クリエイティブアシストモードで設定できる背景ぼかし量、明るさ、色合い、コントラスト、鮮やかさ、モノクロの設定項目は、以下の表に示すように、それぞれ、応用撮影モードで設定できる絞り値、露出補正値等の設定項目に対応付けられている。
【００５２】
【表１】
0006487666.tif 000002
【００５３】
上記表のように、クリエイティブアシストモードでの設定項目はカメラの専門用語を用いずに、一般的な言葉で表現した設定項目名となっており、設定項目の内容もアイコンでわかりやすくしている。そのため、初心者でも簡単に絵作りを楽しむことができる。
【００５４】
次に、図４を参照して、図３のＳ３０５におけるクリエイティブアシストモードの処理手順について説明する。
【００５５】
Ｓ４００では、システム制御部２０１は、表示部１０１に初期画面（図５（ａ））を表示する。この初期画面では、ユーザは操作部１０４のＳＥＴボタンを押下することでクイック設定画面を表示させることができる。クイック設定画面では、上下ボタンを操作することで、背景ぼかし量、明るさ、コントラスト、鮮やかさ、色合い、モノクロ、設定の登録、設定の読み込みの各アイコン５０２〜５０７、５１８、５１９を選択することができる。また、各設定は、操作部１０４の電子ダイヤルやコントローラホイール１０６、左右ボタンで選択することができる。また、クイック設定画面では、タッチ操作でも選択可能である。
【００５６】
Ｓ４０１では、システム制御部２０１は、操作部１０４の上述の操作によって、クイック設定画面において背景ぼかし量アイコン５１２が選択されたか否かを判定する。背景ぼかし量アイコン５１２が選択された場合はＳ４０２に進む。
【００５７】
Ｓ４０２では、システム制御部２０１は、図５（ｂ）に示すようにクイック設定画面にぼかし量設定領域５２２を表示し、ユーザからの背景ぼかし量の設定操作を受け付ける。背景ぼかし量の設定値として「ＯＦＦ」を選択するとプラグラムＡＥモードと同等のプログラム線図で自動露出制御を行われる。すなわち、絞り及びシャッター速度はカメラが自動で設定をする。背景ぼかし量が１に設定されると絞りをＦ２．８に設定する。背景ぼかし量が２に設定されると、絞りをＦ４．０に設定する。背景ぼかしを量を３に設定すると絞りをＦ５．６に設定する。背景ぼかし量が４に設定されると絞りをＦ８．０に設定する。ぼかし量が５に設定されると、絞りをＦ１１に設定する。すなわち、背景ぼかし量を設定しているときは絞り優先ＡＥモードと同様な自動露出制御を行う。また、この背景ぼかし量の設定では、システム制御部２０１は、撮影レンズ２０３またはシャッター２０４に配置された絞りを設定に応じて制御することで表示部１０１のスルー画像表示で被写界深度を確認することができる。
【００５８】
Ｓ４０３では、システム制御部２０１は、操作部１０４の上述の操作によって、クイック設定画面において明るさアイコン５１３が選択されたか否かを判定する。明るさアイコン５１３が選択された場合はＳ４０４に進む。
【００５９】
Ｓ４０４では、システム制御部２０１は、図５（ｃ）に示すようにクイック設定画面に明るさ設定領域５２３を表示し、ユーザからの明るさ設定操作を受け付ける。操作部１０４により明るさ設定が変更されると、表示部１０１のスルー画像に対して、設定された明るさが反映される。
【００６０】
Ｓ４０５では、システム制御部２０１は、操作部１０４の上述の操作によって、クイック設定画面においてコントラストアイコン５１４が選択されたか否かを判定する。コントラストアイコン５１４が選択された場合はＳ４０６に進む。
【００６１】
Ｓ４０６では、システム制御部２０１は、図５（ｄ）に示すようにクイック設定画面にコントラスト設定領域５２４を表示し、ユーザからのコントラスト設定操作を受け付ける。操作部１０４によりコントラスト設定が変更されると、表示部１０１のスルー画像に対して、設定されたコントラストが反映される。
【００６２】
Ｓ４０７では、システム制御部２０１は、操作部１０４の上述の操作によって、クイック設定画面において鮮やかさアイコン５１５が選択されたか否かを判定する。鮮やかさアイコン５１５が選択された場合はＳ４０８に進む。
【００６３】
Ｓ４０８では、システム制御部２０１は、図５（ｅ）に示すようにクイック設定画面に鮮やかさ設定領域５２５を表示し、ユーザからの鮮やかさの設定操作を受け付ける。操作部１０４により鮮やかさ設定が変更されると、表示部１０１のスルー画像に対して、設定された鮮やかさが反映される。
【００６４】
Ｓ４０９では、システム制御部２０１は、操作部１０４の上述の操作によって、クイック設定画面において色合いアイコン５１６が選択されたか否かを判定する。色合いアイコン５１６が選択された場合はＳ４１０に進む。
【００６５】
Ｓ４１０では、システム制御部２０１は、図５（ｆ）に示すようにクイック設定画面に色合い設定領域５２６を表示し、ユーザからの色合いの設定操作を受け付ける。操作部１０４により色合い設定が変更されると、表示部１０１のスルー画像に対して、設定された色合いが反映される。
【００６６】
Ｓ４１１では、システム制御部２０１は、操作部１０４の上述の操作によって、クイック設定画面においてモノクロ設定アイコン５１７が選択されたか否かを判定する。モノクロ設定アイコン５１７選択された場合はＳ４１２に進む。
【００６７】
Ｓ４１２では、システム制御部２０１は、図５（ｇ）に示すようにクイック設定画面にモノクロ設定領域５２７を表示し、ユーザからのモノクロに関する設定操作を受け付ける。モノクロに関する設定の選択肢としては、上述した表に示すようにＯＦＦ（カラー）／白黒／セピア／青／紫／緑がある。操作部１０４によりモノクロに関する設定が変更されると、表示部１０１のスルー画像に対して、設定されたモノクロに関する設定が反映される。
【００６８】
上述のＳ４０１〜Ｓ４１２における、ユーザ操作に基づいて設定された背景ぼかし量、明るさ、コントラスト、鮮やかさ、色合い、モノクロの設定値のセットは、システムメモリ２１２に保持されると共に、不揮発性メモリ２１３にも記憶される。従って、カメラの電源をオフした後に再び電源をオンし、クリエイティブアシストモードが選択されたときにも保持される。また、他の動作モードに移行した後、再びクリエイティブアシストモードが選択された場合にも、前回クリエイティブアシストモードで最後に設定した値が保持される。
【００６９】
Ｓ４１３では、システム制御部２０１は、操作部１０４の上述の操作によって、クイック設定画面において設定登録アイコン５１８が選択されたか否かを判定する。設定登録アイコン５１８が選択されている場合は、Ｓ４１４に進み、設定の登録の処理を行う。この設定登録処理の詳細は図６で後述する。
【００７０】
Ｓ４１５では、システム制御部２０１は、操作部１０４の上述の操作によって、クイック設定画面において設定読み込みアイコン５１９が選択されたか否かを判定する。なお、撮影設定が１つも登録されていない場合は、クイック設定画面において設定読み込みアイコン５１９はグレーアウトされ、設定読み込みアイコン５１９は選択できない。設定読み込みアイコン５１９が選択された場合はＳ４１６に進み、設定の読み込みの処理を行う。
【００７１】
Ｓ４１６では、システム制御部２０１は、図５（ｈ）に示すようにクイック設定画面に読み込み選択領域５２９を表示し、設定の読み込み操作を受け付ける。操作部１０４の電子ダイヤル、コントローラホイール１０６、左右ボタンで選択枠５２８を移動させることで、読み込み選択領域５２９に表示された、登録された撮影設定を示す選択肢のいずれかを選択できる。設定情報のいずれかが選択されると、システム制御部２０１は、不揮発性メモリ２１３に格納された撮影設定をメモリ２１０に展開し、表示部１０１のスルー画像表示および撮影情報表示に反映する。操作部１０４のＳＥＴボタンが押下されると、読み込み選択領域５２９で現在選択されている撮影設定が確定され、確定された撮影設定にメモリ２１０を更新し、クイック設定画面から図５（ａ）に示す初期画面に戻る。なお、撮影設定を読み込んだ後、クリエイティブアシストモードにおける設定値（背景ぼかし量、明るさ、コントラスト、鮮やかさ、色合い、モノクロ設定）をいずれも変更しないで、再度クイック設定画面で設定読み込みアイコン５１９を選択すると、読み込み選択領域５２９には、前回反映した撮影設定がデフォルトで選択される（フォーカスがあたる）。撮影設定を読み込み後、クリエイティブアシストモードにおける設定値のいずれかを変更した場合には、次にクイック設定画面で設定読み込みアイコン５１９が選択されると、読み込み選択領域５２９では、前回選択された選択肢に関わらず、デフォルトの選択肢あるいは登録された日時が最新の選択肢が初期選択される。
【００７２】
Ｓ４１７では、システム制御部２０１は、第１シャッタースイッチ信号ＳＷ１がオンしているか否かを判定する（撮影準備指示受付）。第１シャッタースイッチ信号ＳＷ１がオフの場合は、Ｓ４００に戻る一方、第１シャッタースイッチ信号ＳＷ１がオンの場合は、Ｓ４１８に進む。
【００７３】
Ｓ４１８では、システム制御部２０１は、ＡＦ、ＡＥ等の撮影準備動作を行うように制御する。この場合の撮影設定は、前述の処理で設定された設定値に応じた値となる。例えば、背景ぼかし量が設定されていた場合、設定された背景ぼかし量に対応する絞り値に設定され、ＡＥによって絞り値に合わせてシャッター速度が決まる。
【００７４】
Ｓ４１９、Ｓ４２０では、第１シャッタースイッチ信号ＳＷ１と第２シャッタースイッチ信号ＳＷ２のオン／オフ状態を判定する。判定の結果、第１シャッタースイッチ信号ＳＷ１がオンされた状態で第２シャッタースイッチ信号ＳＷ２がオンされると、Ｓ４２１へ進む。また、第１シャッタースイッチ信号ＳＷ１がオフになると（つまり、第２シャッタースイッチ信号ＳＷ２がオンされずに、第１シャッタースイッチ信号ＳＷ１もオフされた場合）、Ｓ４００へ戻る。また、第１シャッタースイッチ信号ＳＷ１がオン、第２シャッタースイッチ信号ＳＷ２がオフの間は、Ｓ４１９、Ｓ４２０の処理が繰り返される。
【００７５】
Ｓ４２１では、システム制御部２０１は、露光処理や現像処理を含む撮影処理を実行する。なお、露光処理では、撮像部２０５およびＡ／Ｄ変換器２０６を介して得られた画像データが、画像処理部２０７およびメモリ制御部２０９を介して、或いはＡ／Ｄ変換器２０６から直接メモリ制御部２０９を介して、メモリ２１０に書き込まれる。また、現像処理では、システム制御部２０１が、メモリ制御部２０９、そして必要に応じて画像処理部２０７を用いて、メモリ２１０に書き込まれた画像データを読み出して各種処理を行う。前述のコントラスト、鮮やかさ、色合い、モノクロ設定において設定された設定値は、現像処理における色処理に反映される。さらに、システム制御部２０１は、撮影処理で得られた画像データを画像ファイルとして記録媒体１０９に対して書き込む記録処理を実行する。この場合、画像ファイルの属性情報（メタデータ）として、クリエイティブアシストモードで撮影したことを示す情報と、この画像を撮影したときに用いられた、クリエイティブアシストモードにおける設定値を示す情報も記録媒体１０９に記録される。クリエイティブアシストモードにおける設定値とはすなわち、背景ぼかし量、明るさ、コントラスト、鮮やかさ、色合い、モノクロ設定において設定された設定値である。このようなメタデータを付加して画像ファイルを記録することにより、後で画像を再生したときに、その画像がどのような設定で撮影されたのかを参照することができる。
【００７６】
Ｓ４２２では、システム制御部２０１は撮影処理で得られた画像データをメモリ２１０または記録媒体１０９から読み出し表示部１０１にレックレビュー表示を行う。
【００７７】
Ｓ４２３では、システム制御部２０１は、予め定められたレックレビュー表示のレビュー時間が経過するのを待ち、レビュー時間が経過するとＳ４２４に進む。
【００７８】
Ｓ４２４では、システム制御部２０１は、表示部１０１の表示状態をレックレビュー表示からスルー画像表示状態に戻す。この処理により、レックレビュー表示によって撮影画像データを確認した後、表示部１０１の表示状態は次の撮影のために撮像部２０５から出力される画像データを逐次表示するスルー画像表示状態に自動的に切り替わることになる。
【００７９】
Ｓ４２５では、システム制御部２０１は、第１シャッタースイッチ信号ＳＷ１のオン／オフ状態を判定し、第１シャッタースイッチ信号ＳＷ１がオンの場合はＳ４１９へ、オフの場合はＳ４００へ戻る。すなわち、システム制御部２０１は、シャッターボタン１０２の半押し状態が継続している（第１シャッタースイッチ信号ＳＷ１がオン）場合は、次の撮影に備える（Ｓ４１９）。一方、シャッターボタン１０２が解除された（第１シャッタースイッチ信号ＳＷ１がオフ）ならば、一連の撮影動作を終えて撮影待機状態に戻る（Ｓ４００）。
【００８０】
＜クリエイティブアシストモードの設定登録処理＞
次に、図６を参照して、図４のＳ４１４における設定登録処理について説明する。
【００８１】
Ｓ６００では、システム制御部２０１は、図７（ａ）に示すように、クイック設定画面において選択された設定登録アイコン５１８に対応する、登録先選択領域７０２を表示する。登録先の候補として、登録先１〜６の６つがある。ユーザは、操作部１０４の電子ダイヤル、コントローラホイール１０６、左右ボタンで選択枠７００を移動させることで、登録先選択領域７０２に表示される登録先１〜６のいずれかを選択できる。また、登録先１〜６のいずれかを選択した状態で、操作部１０４に含まれるＳＥＴボタンを押下することによって、現在の設定内容（図４で説明したように設定された背景ぼかし量、明るさ、コントラスト、鮮やかさ、色合い、モノクロの設定値のセット（以下、クリエイティブ設定と称する）が登録される。図７（ａ）の例では、登録先選択領域７０２において、登録先１が選択されている。図７（ａ）において右側項目列５１０に表示された各アイコン５１２〜５１７の左側に表示された設定値が現在の設定内容であり、これから登録しようとする現在のクリエイティブ設定である。登録ガイド７０１は、ＳＥＴボタンを押下することで現在選択されている登録先に現在のクリエイティブ設定を登録できることを示している。登録先１〜６は初期状態では何も登録されていないが、ユーザが過去に登録したことのある登録先であれば、既にクリエイティブ設定（登録データ）が登録されている。このため、既に登録された登録先に新たなクリエイティブ設定を登録するのであれば、既存の登録内容を消去して新しいクリエイティブ設定を上書き登録することになる。
【００８２】
Ｓ６０１では、システム制御部２０１は、登録先選択領域７０２に表示された登録先１〜６のいずれかの選択操作をユーザから受け付ける。操作部１０４の左右ボタンまたはコントローラホイール１０６の操作に応じて、いずれかの登録先を選択する。
【００８３】
Ｓ６０２では、システム制御部２０１は、選択された登録先にクリエイティブ設定の登録データがあるか否かを、不揮発性メモリ２１３に格納されているデータを確認して判定する。登録データがある場合は、Ｓ６０３に進み、登録データが無い（選択されている登録先に登録されていない）場合はＳ６１４に進む。
【００８４】
Ｓ６０３では、システム制御部２０１は、表示部１０１に比較ガイド７０３を表示する。比較ガイド７０３は、操作部１０４に含まれるＩＮＦＯボタンを押下すると、現在のクリエイティブ設定との比較のために、選択されている登録先に登録されているクリエイティブ設定での表示を行えることを示している。図７（ｂ）の例では、登録先選択領域７０２において、登録先２が選択されている。登録先１が選択されていた場合には表示されていなかった比較ガイド７０３が表示されるため、登録先２にはすでに別のクリエイティブ設定が登録済みであることがわかる。
【００８５】
Ｓ６０４では、システム制御部２０１は、操作部１０４のＩＮＦＯボタンが押下されたか否かを判定し、押下された場合はＳ６０５に進み、そうでない場合はＳ６０８に進む。
【００８６】
Ｓ６０５では、システム制御部２０１は、登録しようとしている現在のクリエイティブ設定をシステムメモリ２１２に一時的に退避（記憶）させる。そして、不揮発性メモリ２１３に格納されている登録済みのクリエイティブ設定をシステムメモリ２１２に読み出し、画像処理部２０７での画像処理に適用する。このようにすることで、表示部１０１に表示されるスルー画像が、登録済みのクリエイティブ設定を反映したものとなる。これにより、ユーザは、現在選択している登録先に既に登録されているクリエイティブ設定を適用するとどのような画像になるかを、スルー画像を見ながら確認することができる。従って、ＩＮＦＯボタンを押下する前にスルー画像に適用されていた現在のクリエイティブ設定（これから登録しようとしているもの）と、現在選択されている登録先に既に登録されているクリエイティブ設定（新たな登録をすると上書きされて消去されるもの）とを比較することができる。すなわち、既に登録されているクリエイティブ設定を本当に消去していいかどうかを、上書きの実行前に判断することができる。なお、Ｓ６０５前のスルー画像（ライブビュー画像）表示と、Ｓ６０６でのスルー画像表示はいずれも、表示部１０１の表示領域に全画面表示（画像の全体が表示領域に収まり、画像と表示領域とが縦または横方向に一致するサイズでの表示）で行うものとする。このようにすることで、適用された撮影設定の効果をより詳細に確認することができる。また、同じ表示領域を用いて切り替えて表示するため、切替の前後での色味の変化などを認識しやすい。
【００８７】
Ｓ６０６では、システム制御部２０１は、操作部１０４のＩＮＦＯボタンの押下が解除されたか否かを判定し、ＩＮＦＯボタンが解除された（離された）場合はＳ６０７に進み、押下されたままの場合はＳ６０５での表示状態を継続する。すなわち、ＩＮＦＯボタンが押下されている間、スルー画像は、現在選択されている登録先に既に登録されている撮影設定が適用された画像となる。
【００８８】
Ｓ６０７では、システム制御部２０１は、システムメモリ２１２に退避していた、ＩＮＦＯボタンを押下する前のクリエイティブ設定を読み出し、画像処理部２０７での画像処理に適用する。これによって、表示部１０１に表示されるスルー画像を、現在のクリエイティブ設定を反映したものに戻す。このようにすることでＩＮＦＯボタンを押している間だけ、上書き対象の設定内容をスルー画像に反映して確認することができる。なお、このように切り替えて表示する方法は、ボタン操作以外の方法でも良い。例えば、所定時間で切り替える構成としても良い。これにより、操作部材が少ない撮像装置でも切り替え表示が可能となる。
【００８９】
Ｓ６０８では、システム制御部２０１は、操作部１０４に含まれるＳＥＴボタンが押されたか否かを判定し、押下された場合はＳ６１０に進み、押されていない場合はＳ６０９に進む。
【００９０】
Ｓ６０９では、システム制御部２０１は、操作部１０４に含まれるメニューボタンが押下されたか否かを判定する。メニューボタンが押下された場合は、Ｓ６２０の終了処理を行いクイック設定画面の表示を終了し、メニューボタンが押下されていない場合はＳ６０１に戻る。
【００９１】
Ｓ６１０では、システム制御部２０１は、表示部１０１に、図７（ｃ）に示すように上書き確認画面を表示する。上書き登録画面には、選択されている登録先に上書きしてもよいかどうかを注意喚起するメッセージ７０４と共に、キャンセルボタン７０５とＯＫボタン７０６が表示される。背景のスルー画像は、登録しようとしている現在のクリエイティブ設定が適用されたものとなっている。キャンセルボタン７０５とＯＫボタン７０６のいずれかを選択でき、キャンセルボタン７０５がユーザに選択されてＳＥＴボタンが押下されると、現在のクリエイティブ設定を現在選択されている登録先に登録することなく、クイック設定画面の表示を終了する。ＯＫボタン７０６がユーザに選択されてＯＫボタンが押下されると、現在選択されている登録先に既に登録されているクリエイティブ設定は消去され、新たなクリエイティブ設定が登録される。
【００９２】
Ｓ６１１では、システム制御部２０１は、第１シャッタースイッチ信号ＳＷ１のオン／オフ状態を判定し、オフの場合はＳ６１２に進み、オンしている場合はＳ６２０に進み、クリエイティブ設定の登録はせずに、クイック設定画面の表示を終了する。このようにすることで、現在のクリエイティブ設定で即座に撮影することが可能となり、設定中でもシャッターチャンスを損なわずに撮影することが可能である。
【００９３】
Ｓ６１２では、システム制御部２０１は、図７（ｃ）の上書き確認画面でＯＫボタン７０６が選択されてＳＥＴボタンが押下されたか判定する。ＯＫボタン７０６が選択されてＳＥＴボタンが押下された場合、すなわち上書きの実行指示があった場合はＳ６１３に進む。キャンセルボタン７０５が選択されてＳＥＴボタンが押下された場合は、クリエイティブ設定を反映せずにＳ６２０に進み、クイック設定画面の表示を終了する。
【００９４】
Ｓ６１３では、システム制御部２０１は、現在のクリエイティブ設定を、選択されている登録先に登録する。すなわち、現在のクリエイティブ設定を、選択されている登録先に関連付けて不揮発性メモリ２１３に記録する。Ｓ６１３の処理の直前まで登録されていた以前のクリエイティブ設定は上書きにより更新される。
【００９５】
なお、Ｓ６０２において、選択された登録先にクリエイティブ設定の登録データがない（選択されている登録先に登録されていない）場合は、Ｓ６１４に進む。
【００９６】
Ｓ６１４およびＳ６１５の処理はそれぞれ、Ｓ６０８およびＳ６０９と同様である。
【００９７】
Ｓ６１６では、システム制御部２０１は、表示部１０１に、図７（ｄ）に示すように登録確認画面を表示する。この登録確認画面は、登録先選択領域７０２において選択された登録先に新たなクリエイティブ設定を登録してもよいかどうかを注意喚起するメッセージ７０７が表示される以外は図７（ｃ）と同様である。
【００９８】
Ｓ６１７およびＳ６１８はそれぞれ、Ｓ６１１および６１２と同様である。
【００９９】
Ｓ６１９では、システム制御部２０１は、選択されている登録先に関連付けて、不揮発性メモリ２１３にクリエイティブ設定を新規に登録する。
【０１００】
Ｓ６２０では、システム制御部２０１は、クイック設定画面の表示を終了する処理を行い、設定登録処理を終了する。
【０１０１】
以上説明したように、新たな撮影設定を登録する際に既に登録されている設定をスルー画像に反映することで設定変更前後の画像を簡単に比較することが可能となる。このようにすることで、ユーザは今回の設定と既に登録済みの設定を適用した場合の効果をスルー画像で確認しながら上書きするか否かの判断を行うことができる。
【０１０２】
なお、Ｓ６０１において、登録先に空きがあれば空きを優先してユーザに提示する構成としてもよい。例えば、クイック設定画面で設定登録アイコン５１８が選択された場合に、登録先選択領域７０２において、クリエイティブ設定が設定されていない空き登録先に最初にカーソルが当たる（初期フォーカスする）ように制御する。このようにすることで、空き登録場所に効率良く設定することが可能である。
【０１０３】
また、登録先の空きがない場合でも、登録先のうち、クリエイティブ設定が登録された日時が古い登録先や、使用頻度が低い登録先を優先してユーザに提示する構成にしてもよい。例えば、クイック設定画面で設定登録アイコン５１８が選択された場合に、登録先選択領域７０２において、登録された日時が古い登録先や、使用頻度の低い登録先に最初にカーソルが当たる（初期フォーカスする）ように制御する。あるいは、登録先選択領域７０２における選択肢としての登録先の並び順を、登録された日時が古い順や、使用頻度の低い順とする。このようにすることで、あまり使わない設定から上書き対象として提示することが可能である。
【０１０４】
図７（ｅ）は、Ｓ６０５における図７（ｂ）の比較表示（選択先に既に登録されているクリエイティブ設定を適用したスルー画像の表示）の他の表示例を示している。図７（ｅ）では、ファイル番号７０８、撮影日時７０９も表示される。後述するように、クリエイティブ設定の登録は、図６で説明したようにスルー画像を表示しながらクイック設定画面で各種設定項目を調整する方法の他に、再生画像から設定することが可能である。ファイル番号７０８及び撮影日時７０９は、クリエイティブ設定を登録する元になった再生画像のファイル番号と撮影日時を示している。このような表示を行うことで、ユーザは比較表示されているクリエイティブ設定がどの画像を元に登録されたのかを判断することができ、比較対象となっているクリエイティブ設定に上書きしてよいかどうかを判断する材料となる。
【０１０５】
図７（ｆ）は、Ｓ６０５における図７（ｂ）の比較表示（選択先に既に登録されているクリエイティブ設定を適用したスルー画像の表示）のもう１つの他の表示例を示している。図７（ｆ）では、撮影設定の元になった撮影済み画像７１０、撮影済み画像７１０を撮影した際の撮影シーン７１１（デジタルカメラ１００で自動判別したシーン）が表示される。このような表示をすることによって、ユーザは比較表示されているクリエイティブ設定が、どのような画像、どのようなシーンを撮影するために登録したものであるかを判断することができ、上書きするか否かの判断材料となる。撮影シーンには、例えば以下のようなものがある。撮影された際の明るさに応じて判別されるシーン、撮影された際の青空の認識で判別される青空のシーン、撮影された際の顔認識で判別される人物撮影のシーン、撮影された際の焦点距離に基づいて判別されるマクロ撮影のシーン。
【０１０６】
以上説明したように、表示部１０１の全面を活用してスルー画像を表示することで撮影設定の比較を容易に行うことができる。また、同じ画像に効果を切り替えてかけることでユーザは撮影設定を上書きするか否かの判断も行いやすくなる。なお、上述の例では、新たな撮影設定（クリエイティブ設定）を登録する前に、登録済みの撮影設定を反映したライブビュー画像と、新たな撮影設定を反映したライブビュー画像とを切り替えて比較する例を説明したが、これに限るものではない。画像の再生表示時に、再生表示している画像に適用する画像処理パラメータを登録する際にも適用することができる。例えば、ＲＡＷ画像の現像パラメータのパターンを新たに登録する際、既に登録された現像パラメータのパターンを選択し、操作に応じて、新たなパターンと登録済みのパターンとをそれぞれ同じ画像に適用して現像処理した画像を切り替えて表示しても良い。
【０１０７】
＜再生モードにおける処理＞
次に、図８を参照して、図３のＳ３０８における再生モードの処理について説明する。
【０１０８】
Ｓ８００では、システム制御部２０１は、最新画像情報を元に記録媒体１０９から最新画像データ読み込み、表示部１０１に初期画面（図９（ａ））を表示する。
【０１０９】
Ｓ８０１では、システム制御部２０１は、操作部１０４の画像送り操作があったか否かを判定し、画像送り操作があった場合はＳ８０２進み、そうでない場合はＳ８０５に進む。画像送り操作は、操作部１０４に含まれる右ボタン、左ボタンの押下や、コントローラホイール１０６の回転操作等である。
【０１１０】
Ｓ８０２、Ｓ８０３では、システム制御部２０１は、記録媒体１０９から次の表示対象の画像（画像ファイル）と、当該画像の属性情報を読み込む。
【０１１１】
Ｓ８０４では、システム制御部２０１は、Ｓ８０３で読み込んだ画像の表示を行う。
【０１１２】
Ｓ８０５では、システム制御部２０１は、操作部１０４に含まれる消去ボタンの操作があったか否かを判定し、消去ボタンの操作があった場合はＳ８０６に進み、そうでない場合はＳ８０８に進む。
【０１１３】
Ｓ８０６では、システム制御部２０１は、記録媒体１０９から、現在表示されている画像（ファイル）を消去する。
【０１１４】
Ｓ８０７では、システム制御部２０１は、消去された画像の次の表示対象の画像を読み込み、表示部１０１に表示する。
【０１１５】
Ｓ８０８では、システム制御部２０１は、操作部１０４に含まれるＳＥＴボタンが押下されたか否かを判定し、ＳＥＴボタンが押下された場合はＳ８０９に進み、そうでない場合はＳ８１０に進む。Ｓ８０９の再生クイック設定の詳細は図１０で後述する。
【０１１６】
Ｓ８１０では、システム制御部２０１は、操作部１０４に含まれるＩＮＦＯボタンの操作があったか否かを判定し、ＩＮＦＯボタンの操作があった場合はＳ８１１へ進み、そうでない場合はＳ８１９に進む。
【０１１７】
Ｓ８１１では、システム制御部２０１は、再生情報表示が通常表示（図９（ａ））か否かを判定し、通常表示の場合はＳ８１２に進み、そうでない場合はＳ８１３に進む。
【０１１８】
Ｓ８１２では、システム制御部２０１は、表示部１０１の再生情報表示を簡易表示（図９（ｂ））に切り替える。
【０１１９】
Ｓ８１３では、システム制御部２０１は、再生情報表示が簡易表示（図９（ｂ））か否かを判定し、簡易表示の場合はＳ８１４に進み、そうでない場合はＳ８１７に進む。
【０１２０】
Ｓ８１４では、システム制御部２０１は、Ｓ８０３で読み込んだ画像の属性情報に基づいて再生中の画像（表示部１０１に現在表示されている画像）がクリエイティブアシストモードで撮影された画像（以下、クリエイティブアシスト画像）か否かを判定する。判定の結果、クリエイティブアシスト画像の場合はＳ８１５に進み、そうでない場合はＳ８１６に進む。
【０１２１】
Ｓ８１５では、システム制御部２０１は、表示部１０１の再生情報表示をクリエイティブアシスト詳細表示（図９（ｃ））に切り替える。
【０１２２】
Ｓ８１６では、システム制御部２０１は、表示部１０１の再生情報表示を詳細表示（図９（ｅ））に切り替える。
【０１２３】
Ｓ８１７では、システム制御部２０１は、再生情報表示がクリエイティブアシスト詳細表示（図９（ｃ））か否かを判定し、クリエイティブアシスト詳細表示の場合はＳ８１６に進み、そうでない場合はＳ８１８に進む。
【０１２４】
Ｓ８１８では、システム制御部２０１は、表示部１０１の再生情報表示を通常表示（図９（ａ））に切り替える。
【０１２５】
Ｓ８１９では、システム制御部２０１は、再生のその他操作か否かを判定し、再生のその他操作の場合はＳ８２０に進み、そうでない場合はＳ８２１に進む。
【０１２６】
Ｓ８２０では、システム制御部２０１は、上記以外の操作入力に応じた処理を行う。例えば、画像の編集処理や、マルチ再生への切り替えや、メニューボタンによるメニュー表示等である。なお、マルチ再生とは、画像データの縮小画像を表示部１０１の一画面に複数枚並べて表示するモードである。
【０１２７】
Ｓ８２１では、システム制御部２０１は、終了操作または第１シャッタースイッチＳＷ１操作がなされたか否かを判定し、操作がなされた場合は再生モード処理を終了し、そうでない場合はＳ８０１に戻る。
【０１２８】
＜再生モードにおける画面＞
ここで、図９（ａ）〜図９（ｇ）を参照して、上述した再生モードの処理において表示部１０１に表示される画面について説明する。
【０１２９】
図９（ａ）は、再生モードに移行したときの初期画面（通常表示）を示している。画像９００は記録媒体１０９から読み出された画像が表示部１０１に再生表示されている。
【０１３０】
図９（ｂ）は、再生画像の属性情報が簡易的に表示される簡易表示画面を示している。数値９０１は、記録媒体１０９に格納されているファイル総数と現在表示している画像番号の関係を表している。画像ＩＤ９０３はＤＣＩＭのフォルダ番号及びファイル番号を表している。撮影情報９０２は、画像９００が撮影されたときのカメラでの撮影設定値を表す情報であり、左からシャッター速度、絞り、露出補正値、ＩＳＯ感度である。これらの情報は、読出した画像の属性情報に基づいて表示される。
【０１３１】
図９（ｃ）は、クリエイティブアシストモードで撮影した際に設定していたクリエイティブ設定と共に、対応する応用撮影モードの撮影設定が表示されるクリエイティブアシスト詳細情報表示画面を示している。この表示を行うことによって写真用語が分からないユーザであっても簡単撮影設定と応用撮影設定の対応を確認することができる。クリエイティブアシスト詳細情報表示画面には、画像９０４（画像９００を縮小したもの）、撮影日時９０５、輝度ヒストグラム表示９０６、比較表示９０７が表示される。比較表示９０７はクリエイティブ設定と応用撮影モードの撮影設定との比較表示である。
【０１３２】
図９（ｄ）は、上記クリエイティブアシスト詳細情報表示画面における比較表示９０７を拡大して示したものである。背景設定９０８、明るさ設定９０９、色合い設定９１０、コントラスト設定９１１、鮮やかさ設定９１２、モノクロ設定９１３はそれぞれ、再生している画像が撮影された際のクリエイティブ設定のうち、背景ぼかし量、明るさ、色合い、コントラスト、鮮やかさ、モノクロ設定の設定値を示している。絞り値９１４、露出補正値および調光補正値９１５、ホワイトバランス補正値（ＷＢ補正値）９１６、ピクチャースタイル９１７はそれぞれ、再生している画像が撮影された際に設定されたクリエイティブ設定によりカメラに設定された値を示している。これらの値は、応用撮影モードにおいて、クリエイティブ設定と同じように撮影するための情報を示している。
【０１３３】
背景設定９０８と絞り値９１４が対応する設定となっている。また、明るさ設定９０９と露出補正値および調光補正値９１５が対応する設定となっている。さらに、色合い設定９１０とＷＢ補正値９１６が対応する設定となっている。さらにまた、コントラスト設定９１１・鮮やかさ設定９１２・モノクロ設定９１３とピクチャースタイル９１７が対応する設定となっている。すなわち、ピクチャースタイルの設定は色処理などの画像処理に関する設定である。図９（ｄ）に示すように、これらの対応する設定を、撮影設定値の行列にいて、同じ列の互いに隣接する行に表示している。このように同じ列に上下に並べて表示することで、簡単な用語で表現されたクリエイティブ設定と、カメラの専門用語で表現された応用撮影モードでの設定の対応が簡単に理解できるようになる。その結果、カメラの専門用語に不慣れなユーザであっても応用撮影モードへのステップアップが容易となる。
【０１３４】
なお、上下に関連する撮影設定を並べる以外にも、行列において同じ行の互いに隣接する列に表示してもよい（左右に隣接して表示する）。また、対応する設定を同じ色で、設定別に色分けして表示する構成も可能である。このようにすることで明確に設定の対応関係を判別することが可能である（識別可能である）。
【０１３５】
図９（ｅ）は、再生画像の属性情報を詳細に表示した詳細情報表示画面９１８を示し、応用撮影モードで設定可能なシャッター速度、絞り値、ＩＳＯ感度、露出補正値等が表示される。
【０１３６】
図９（ｆ）は、図９（ｃ）に示したクリエイティブアシスト詳細情報表示画面の他の表示形態１を示している。この画面では、クリエイティブ設定と応用撮影モードでの設定の関連付けを、図９（ｃ）とは別の方法で行う。図９（ｆ）の例では、対応する設定を線で囲むことにより、対応関係を示している。すなわち、枠９１９によって背景設定と絞り値が、枠９２０によって明るさと露出補正値が、枠９２１によって色合いとＷＢ補正が、枠９２２によって、コントラスト・鮮やかさ・モノクロとピクチャースタイルがそれぞれ対応していることを示している。
【０１３７】
図９（ｇ）および図９（ｈ）は、図９（ｃ）に示したクリエイティブアシスト詳細情報表示画面の他の表示形態２を示している。この画面では、対応する設定を同じ表示位置（少なくとも一部が重複する領域）で切り替えて表示することで対応関係を示している。図９（ｇ）は、クリエイティブ設定での設定値を示す画面であり、枠９２３の位置に明るさの設定値、枠９２４の位置に色合いの設定値、枠９２５の位置にコントラスト、鮮やかさ、モノクロの設定値が表示されている。図９（ｇ）の画面を表示中にユーザが切り替え用のボタンを押下すると、あるいは所定時間（数秒程度）の経過に応じて自動的に、図９（ｈ）の表示に切り替わる。図９（ｈ）には、枠９２６の位置に露出補正値および調光補正値が、枠９２７の位置にＷＢ補正値が、枠９２８の位置にピクチャースタイルの設定値が表示される。枠９２３と枠９２６が、枠９２４と枠９２７が、枠９２５と枠９２８がそれぞれ同じ位置であるので、そこに表示される設定は対応関係にあることがわかる。例えば。枠９２３の位置に表示していたクリエイティブ設定での明るさの設定値は、ユーザが切り替え用のボタンを押下すると、あるいは所定時間が経過すると、露出補正値および調光補正値に切り替わり、対応する関係にあることが分かる。なお、切り替え用のボタンを押下する代わりに、切り替えたい設定の位置がタッチされたことに応じて、タッチされた位置に表示された設定のみ、対応する表示に切り替えるようにしてもよい。このようにすれば対応を確認したい設定のみ比較することができる。
【０１３８】
以上説明したように、本実施形態の再生モードの処理によれば、クリエイティブアシストモードで撮影した画像の撮影設定情報を用いてカメラに撮影設定を学習させることが可能である。具体的には、撮影時に設定したカメラ用語が分からなくても、理解できる簡単設定の確認と同時に応用撮影モードの対応する撮影設定を簡単に確認することができる。再生モードにおいてクリエイティブ設定から学習可能としたことで、他のユーザが他のカメラで撮影した画像からも、画像の撮影の仕方（設定項目の意味や、どの設定項目をどのように設定すれば再生中のような画像が撮影できるか等）を学習可能となる。
【０１３９】
＜再生クイック設定処理＞
次に、図１０を参照して、図８のＳ８０９における再生クイック設定の処理について説明する。
【０１４０】
Ｓ１０００では、システム制御部２０１は、現在表示している画像がクリエイティブアシストで撮影された画像（クリエイティブアシスト画像）か否かを画像の属性情報をもとに判定する。クリエイティブアシスト画像である場合はＳ１００１に進み、クリエイティブアシスト画像でない場合はＳ１００２に進む。
【０１４１】
Ｓ１００１では、システム制御部２０１は、図１１（ｂ）に示す再生クイック設定画面にクリエイティブアシスト設定に反映するための項目（反映アイコン１１３０）を表示するように設定を行う。
【０１４２】
Ｓ１００２では、システム制御部２０１は、再生クイック設定画面を表示部１０１に表示する。再生クイック設定画面には、表示されている画像がクリエイティブアシスト画像である場合には反映アイコン１１３０が表示され（図１１（ｂ））、クリエイティブアシスト画像でない場合には反映アイコン１１３０は表示されない（図１１（ａ））。
【０１４３】
図１１（ａ）は、表示画像がクリエイティブアシスト画像ではない場合の再生クイック設定画面を示している。再生画像１１００Ａ（クリエイティブアシスト画像ではない）に重畳して、左側項目列１１０１、右側項目列１１０２、項目内容表示領域１１０３が表示される。左側項目列１１０１と右側項目列１１０２には同一階層に含まれる選択肢である項目が表示される。図示の例では、選択可能な項目として、左側項目列１１０１に、保護アイコン１１０４、回転アイコン１１０５、お気に入り登録アイコン１１０６、検索アイコン１１０７が表示され、右側項目列１１０２には、戻るアイコン１１０８、リサイズアイコン１１０９、トリミングアイコン１１１０、クリエイティブフィルターアイコン１１１１が表示されている。これらのうち、選択された項目にカーソル１１２０が表示される。図１１（ａ）では保護アイコン１１０４が選択されている。
【０１４４】
項目内容表示領域１１０３には、左側項目列１１０１および右側項目列１１０２で選択されている上位項目（図示の例では保護アイコン１１０４）の下位階層の項目が表示される。ユーザは、操作部１０４の上ボタンまたは下ボタンで左側項目列１１０１と右側項目列１１０２に表示された項目のいずれかを選択する。そして、操作部１０４の電子ダイヤル、コントローラホイール１０６、左右ボタンを操作することによって、選択した上位項目に対応する、項目内容表示領域１１０３に表示された下位項目の処理内容を選択し、ＳＥＴボタンを押下することで処理を実行できる。例えば、表示中の画像をリサイズしたい場合は、上下ボタンでカーソル１１２０をリサイズアイコン１１０９に合わせ、左右ボタンで項目内容表示領域１１０３に表示されたリサイズ後のサイズの候補の中から所望のサイズを選び、ＳＥＴボタンを押下すればよい。
【０１４５】
図１１（ｂ）は、表示画像がクリエイティブアシスト画像１１００Ｂである場合の再生クイック設定画面を示している。図１１（ｂ）の画面では、図１１（ａ）に示した各項目に加えて、右側項目列１１０２に設定反映アイコン１１１２が表示され、項目内容表示領域１１０３に反映アイコン１１３０が表示される。設定反映アイコン１１１２は、表示している画像（再生画像）の属性情報に基づいた撮影設定を行う指示をするための表示アイテムである。
【０１４６】
Ｓ１００３では、システム制御部２０１は、操作部１０４によるカーソル１１２０の移動操作を受け付ける。具体的には、操作部１０４の上下ボタンによりカーソル１１２０を移動させ、左側項目列１１０１および右側項目列１１０２に表示された項目のいずれかを選択する操作を受け付ける。
【０１４７】
Ｓ１００４では、システム制御部２０１は、設定反映アイコン１１１２が選択されたか否かを判定し、設定反映アイコン１１１２が選択された場合はＳ１００５に進み、そうでない場合はＳ１０１４に進む。
【０１４８】
Ｓ１００５では、システム制御部２０１は、モード切替ボタン１０３がクリエイティブアシストモードの位置にあるか否かを判定し、クリエイティブアシストモードの位置である場合はＳ１００６に進み、そうでない場合はＳ１００７に進む。すなわち、撮影モードの設定（撮影モード設定）が複数の撮影モードのうちクリエイティブアシストモードの設定となっているか否かを判定する。
【０１４９】
Ｓ１００６では、システム制御部２０１は、図１１（ｂ）に示すメッセージ１１４１を表示する。メッセージ１１４１は、ＳＥＴボタンを押下すれば、現在再生中の画像の属性情報から読み出したクリエイティブ設定（再生画像の撮影時に用いたクリエイティブ設定）を反映して撮影モードへの切り替えが可能であることをユーザに通知するために表示される。この場合にＳＥＴボタンを押下すれば、モード切替ボタン１０３がクリエイティブアシストモードの位置になっているため、再生モードから撮影モードに移行する。これにより、静止画撮影モードの１つであるクリエイティブアシストモードとなり、再生中の画像の属性情報から読み出したクリエイティブ設定を反映することができる。
【０１５０】
また、Ｓ１００７では、システム制御部２０１は、図１１（ｃ）に示すメッセージ１１４２を表示する。メッセージ１１４２は、ＳＥＴボタンを押下した後に、撮影モードの１つであるクリエイティブアシストモードに設定する操作を行えば、現在再生している画像の属性情報から読み出したクリエイティブ設定が反映されることを示している。モード切替ボタン１０３がクリエイティブアシストモードの位置以外の場合には、クリエイティブアシストモード設定を反映することはできないため、再生画像からの設定を反映するための方法がガイダンス表示される。例えば、モード切替ボタン１０３がオートモードであれば、絞りやシャッター速度、色処理等は、スルー画像を解析した結果等に基づいて自動的に設定するため、クリエイティブ設定を基準にすることはできない。Ｓ１００７でメッセージ１１４２が表示された場合は、現在再生中の画像の属性情報から読み出したクリエイティブ設定を反映した撮影を行うには、ユーザは以下の操作を行う必要がある。すなわち、ＳＥＴボタンを押下し、撮影モードに移行させる操作を行い、さらにモード切替スイッチ６０をクリエイティブアシストモードの位置に切り替える操作を行う。
【０１５１】
Ｓ１００８では、システム制御部２０１は、操作部１０４に含まれるＳＥＴボタンが押下されたか否かを判定し、ＳＥＴボタンが押下されていない場合はＳ１００３に戻り、ＳＥＴボタンが押下された場合はＳ１００９に進む。
【０１５２】
Ｓ１００９では、システム制御部２０１は、クリエイティブアシスト画像の属性情報を確認からバージョンの確認を行い、バージョンがＯＫである場合はＳ１０１１に進み、バージョンがＮＧの場合はＳ１０１０に進む。すなわち、再生画像の属性情報から得たクリエイティブ設定が、デジタルカメラ１００に反映できるバージョンであるか否かを判定する。撮影機能の進化に伴って、将来撮影設定が反映できない可能性もあるため、バージョンの確認を行う必要がある。バージョンの確認は、例えば画像の属性情報から得られる、画像を撮影したカメラの機種情報によって確認可能である。再生画像が、不揮発性メモリ２１３に格納された、クリエイティブ設定が反映可能なカメラの機種のいずれかによって撮影されたものであることが分かれば、再生画像のクリエイティブ設定はデジタルカメラ１００に反映できるバージョンであると判定できる。
【０１５３】
Ｓ１０１０では、システム制御部２０１は、表示部１０１に、「画像から得られた撮影設定を反映できません」といった、クリエイティブ設定を行うことができない旨を示すエラー表示を行う。
【０１５４】
Ｓ１０１１では、システム制御部２０１は、現在表示しているクリエイティブアシスト画像の属性情報から得られたクリエイティブ設定をシステムメモリ２１２および不揮発性メモリ２１３に記憶する。こうして、再生画像から得られる、再生画像を撮影した際の撮影設定のうち少なくとも一部がデジタルカメラ１００に設定される。なお、設定値はここで記憶されるが、設定値の反映は撮影モードに遷移してからでもよい。
【０１５５】
Ｓ１０１２では、システム制御部２０１は、モード切替ボタン１０３がクリエイティブアシストモードの位置であるか否かを判定し、クリエイティブアシストモードの位置である場合はＳ１０１３に進み、そうでない場合は、図８のＳ８０１に進む。
【０１５６】
Ｓ１０１３では、システム制御部２０１は、撮影モードの１つであるクリエイティブアシストモードに遷移し、前述の図６の処理を行う。つまり、ここで再生モードから撮影モードに切り替わる。この場合、再生画像から得たクリエイティブ設定を反映して撮影モードに切り替わる旨をガイダンス表示することによりユーザに通知しても良い。また、再生画像から得たクリエイティブ設定の反映前に設定されていた設定は上書きされて消えてしまうことを注意するためのガイダンスを表示してもよい。切り替わった後のクリエイティブアシストモードでは、クリエイティブ設定（背景ぼかし量、明るさ、コントラスト、鮮やかさ、色合い、モノクロの設定値）は、直前に再生されていた画像の属性情報から得られた値に設定される。これらは、前述のＳ１０１１で不揮発性メモリ２１３に記憶した設定値である。すなわち、再生画像を撮影したときと同じクリエイティブ設定にした撮影が可能となる。この際、スルー画像と共に、現在のクリエイティブ設定が、再生画像から得たものであることをガイダンス表示することによりユーザに通知しても良い。また、スルー画像と共に、クリエイティブ設定を参照した再生画像の縮小画像を重畳表示して、どのような再生画像に基づいて設定されているのかを明示するようにしてもよい。このようにすることで、ユーザは、どのような被写体に対して、現在のクリエイティブ設定が有効であるか判断がしやすくなる。クリエイティブアシストモードに遷移した後、図６で前述したような設定登録処理を行えば、再生画像から得たクリエイティブ設定を登録することが可能である。登録すれば、再生画像から得たクリエイティブ設定を、一時的に使用するのではなく、また、再生画像をその後保持していなくとも、必要に応じて登録された設定の一覧から読み出して使用することが可能となる。
【０１５７】
上述のようにＳ１０１２でモード切替ボタン１０３がクリエイティブアシストモードの位置でない場合は、図８のＳ８０１に進む。すなわち、この場合は再生モードは終了しない（撮影モードには移行しない）。しかしながら、Ｓ１０１１で再生画像から得たクリエイティブ設定が記憶されているため、その後のユーザ操作によってクリエイティブアシストモードに設定された場合には、初期設定としてＳ１０１１で再生画像から得たクリエイティブ設定が反映される。
【０１５８】
Ｓ１０１４では、システム制御部２０１は、左側項目列１１０１、右側項目列１１０２、項目内容表示領域１１０３に表示された項目のうち、反映アイコン１１３０以外の項目であって、選択されている項目に応じた処理を行う。例えば、表示中の画像に対する他の項目の処理としてリサイズ処理やトリミング処理を行うことができる。
【０１５９】
Ｓ１０１５では、システム制御部２０１は、操作部１０４に含まれるメニューボタンが押下されたか否かを判定する。メニューボタンが押下されていない場合はＳ１０００に戻って処理を繰り返し、メニューボタンが押下された場合は再生クイック設定画面の表示を終了し、図８のＳ８０１に進んで再生モードの処理を継続する。
【０１６０】
以上説明したように、クリエイティブアシスト画像の表示中にモード切替ボタン１０３がクリエイティブアシストモードの位置にセットされていれば、表示中の画像のクリエイティブ設定を簡単に反映し、即時に撮影モードに移行して撮影することが可能となる。つまり、クリエイティブアシストモードで撮影した画像と同じ撮影設定ですぐに再生モードから撮影モードに切り替えて撮影ができるようになる。
【０１６１】
なお、上述したように再生画像の属性情報に基づいて、再生画像を撮影したときの撮影設定を反映できるため、通信部２１７を介して他のカメラから取得した画像を撮影したときと同じ設定にすることも可能である。すなわち、第三者が撮影したお気に入りの写真をもとに自分のカメラを同じ設定にすることも可能となる。
【０１６２】
なお、本実施形態では画像の属性情報に基づいて撮影設定を反映するように構成しているが、撮影設定は画像と分離して管理することも可能である。このようにすることで、有名写真家の写真をそのまま流通させることは著作権の問題もあって難しいが、撮影設定のみを抽出したファイルであれば取得することができる。そして、ユーザの所有するカメラで有名写真家の写真を撮影したときと同じ設定を再現することができる。
【０１６３】
また、クリエイティブアシストモード以外で撮影した画像について画像解析を行い、対応する撮影設定を抽出することで、クリエイティブアシスト画像と同様に扱うことも可能である。このようにすることでより多くの画像から写真を学び、自分の写真へ応用することが可能となる。
【０１６４】
なお、システム制御部２０１の制御は１つのハードウェアが行ってもよいし、複数のハードウェアが処理を分担することで、装置全体の制御を行っても良い。
【０１６５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１６６】
また、上述した実施形態においては、本発明をデジタルカメラ等の撮像装置に適用した場合を例に説明したが、本発明はこの例に限定されない。背景のぼかし量、明るさ、色合い、コントラスト、鮮やかさ、モノクロ等の効果をつけて画像の撮影を行えるモードを有する撮像装置であれば適用可能である。また、明るさ、色合い、コントラスト、鮮やかさ、モノクロ等の画像処理パラメータを変更して画像処理が可能な画像処理装置にも適用可能である。すなわち、本発明は、タブレット、携帯電話やその一種であるスマートフォン、ＰＤＡ、携帯型の画像ビューワ、ゲーム機、電子ブック、パーソナルコンピュータ等にも適用可能である。
【０１６７】
また、本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１６８】
１００  デジタルカメラ
１０１  表示部
１０２  モード切替ボタン
１０４  操作部
２０１  システム制御部
２０５  撮像部
２０７  画像処理部
【図１】
0006487666.tif 000003
【図２】
0006487666.tif 000004
【図３】
0006487666.tif 000005
【図４】
0006487666.tif 000006
【図５】
0006487666.tif 000007
【図６】
0006487666.tif 000008
【図７】
0006487666.tif 000009
【図８】
0006487666.tif 000010
【図９】
0006487666.tif 000011
【図１０】
0006487666.tif 000012
【図１１】
0006487666.tif 000013